【手続補正書】
【提出日】令和2年10月19日(2020.10.19)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ネットワークエンティティにおいて、物理ブロードキャストチャネル(PBCH)に対応する1つまたは複数のシンボル内の少なくとも1つの専用復調基準信号(DMRS)を構成するステップであって、
各専用DMRSが前記PBCHを復調するために使用され、
前記少なくとも1つの専用DMRSを、前記PBCHに対応する前記1つまたは複数のシンボルと同じヌメロロジーを有する1つまたは複数のシンボルに割り当てるステップを備える、ステップと、
前記ネットワークエンティティによって、少なくとも単一のアンテナポートを使用して、前記少なくとも1つの専用DMRSを1つまたは複数のユーザ機器(UE)に送信するステップと
を備える方法。
【請求項２】
前記PBCHに対応する前記1つまたは複数のシンボル内の前記少なくとも1つの専用DMRSを構成するステップが、周波数分割多重(FDM)に基づいて前記PBCHに対応する前記1つまたは複数のシンボルの各々内で前記少なくとも1つの専用DMRSをインターリーブするステップをさらに備える、請求項1に記載の方法。
【請求項３】
FDMに基づいて前記PBCHに対応する前記1つまたは複数のシンボルの各々内で前記少なくとも1つの専用DMRSをインターリーブするステップが、リソース要素(RE)を前記少なくとも1つの専用DMRSの各々の各専用DMRSシンボルに割り当てるステップをさらに備える、請求項2に記載の方法。
【請求項４】
少なくとも前記単一のアンテナポートを使用して、前記少なくとも1つの専用DMRSを前記1つまたは複数のUEに送信するステップが、前記単一のアンテナポートを使用して、前記PBCHに対応する前記1つまたは複数のシンボルの各々を、前記インターリーブされた少なくとも1つの専用DMRSとともに送信するステップをさらに備える、請求項2に記載の方法。
【請求項５】
前記同じヌメロロジーを有することが、前記少なくとも1つの専用DMRSを割り当てられた前記1つまたは複数のシンボルの各々と、前記PBCHに対応する前記1つまたは複数のシンボルの各々とが、同一のサブキャリア間隔およびサイクリックプレフィックスで構成されることに対応する、請求項1に記載の方法。
【請求項６】
前記少なくとも1つの専用DMRSを、前記PBCHに対応する前記1つまたは複数のシンボルと前記同じヌメロロジーを有する前記1つまたは複数のシンボルに割り当てるステップが、第1の専用DMRSを第1のシンボルに、第2の専用DMRSを第2のシンボルに割り当てるステップであって、前記第1の専用DMRSが、第1のアンテナポート用に構成され、前記第2の専用DMRSが、第2のアンテナポート用に構成される、ステップをさらに備える、請求項1に記載の方法。
【請求項７】
前記少なくとも1つの専用DMRSを、前記PBCHに対応する前記1つまたは複数のシンボルと前記同じヌメロロジーを有する前記1つまたは複数のシンボルに割り当てるステップが、第1の専用DMRSを第1のシンボルに、第2の専用DMRSを第2のシンボルに割り当てるステップをさらに備え、前記第1の専用DMRSおよび前記第2の専用DMRSの各々が、第1の送信組合せおよび第2の送信組合せを含み、
少なくとも前記単一のアンテナポートを使用して、前記少なくとも1つの専用DMRSを前記1つまたは複数のUEに送信するステップが、
前記第1の専用DMRSおよび前記第2の専用DMRSの各々について、第1のアンテナポートを使用して、トーンの第1のサブセットを前記1つまたは複数のUEに送信するステップと、
前記第1の専用DMRSおよび前記第2の専用DMRSの各々について、第2のアンテナポートを使用して、トーンの第2のサブセットを前記1つまたは複数のUEに送信するステップであって、前記トーンの第2のサブセットが、前記トーンの第1のサブセットとは異なる、ステップと
をさらに備える、請求項1に記載の方法。
【請求項８】
前記PBCHに対応する前記1つまたは複数のシンボル内の前記少なくとも1つの専用DMRSを構成するステップが、前記PBCHに対応する前記1つまたは複数のシンボルの各々内の前記少なくとも1つの専用DMRSを構成するステップをさらに備える、請求項1に記載の方法。
【請求項９】
ワイヤレス通信の方法であって、
ユーザ機器(UE)において、ネットワークエンティティから物理ブロードキャストチャネル(PBCH)に対応する1つまたは複数のシンボル内の少なくとも1つの専用復調基準信号(DMRS)を受信するステップであって、
各専用DMRSが前記PBCHを復調するために使用され、
前記少なくとも1つの専用DMRSを受信するステップが、第1のシンボルに対する第1の専用DMRSおよび第2のシンボルに対する第2の専用DMRSを受信するステップを備え、
前記第1のシンボル内の前記第1の専用DMRSおよび前記第2のシンボル内の前記第2の専用DMRSが、前記PBCHに対応する前記1つまたは複数のシンボルと同じヌメロロジーを有する、ステップと、
前記UEによって、前記少なくとも1つの専用DMRSに基づいて前記PBCHに対してチャネル推定手順を実行するステップと、
前記UEによって、前記チャネル推定手順を実行した結果に基づいて前記PBCHを復調するステップと
を備える方法。
【請求項１０】
前記少なくとも1つの専用DMRSが、周波数分割多重(FDM)に基づいて前記PBCHに対応する前記1つまたは複数のシンボルの各々内でインターリーブされる、請求項9に記載の方法。
【請求項１１】
前記PBCHに対応する前記1つまたは複数のシンボルの各々が、前記少なくとも1つの専用DMRSの各々の各専用DMRSシンボルに割り当てられたリソース要素(RE)を含む、請求項10に記載の方法。
【請求項１２】
前記ネットワークエンティティから前記PBCHに対応する前記1つまたは複数のシンボル内の前記少なくとも1つの専用DMRSを受信するステップが、前記ネットワークエンティティの単一のアンテナポートに基づいて、前記ネットワークエンティティから前記PBCHに対応する前記1つまたは複数のシンボル内の前記少なくとも1つの専用DMRSを受信するステップをさらに備える、請求項9に記載の方法。
【請求項１３】
ワイヤレス通信のための装置であって、
ネットワークエンティティにおいて、物理ブロードキャストチャネル(PBCH)に対応する1つまたは複数のシンボル内の少なくとも1つの専用復調基準信号(DMRS)を構成するための手段であって、
各専用DMRSが前記PBCHを復調するために使用され、
前記PBCHに対応する前記1つまたは複数のシンボル内の前記少なくとも1つの専用DMRSを構成することが、前記少なくとも1つの専用DMRSを、前記PBCHに対応する前記1つまたは複数のシンボルと同じヌメロロジーを有する1つまたは複数のシンボルに割り当てることを含む、手段と、
前記ネットワークエンティティによって、少なくとも単一のアンテナポートを使用して、前記少なくとも1つの専用DMRSを1つまたは複数のユーザ機器(UE)に送信するための手段と
を備える装置。
【請求項１４】
ワイヤレス通信のための装置であって、
ユーザ機器(UE)において、ネットワークエンティティから物理ブロードキャストチャネル(PBCH)に対応する1つまたは複数のシンボル内の少なくとも1つの専用復調基準信号(DMRS)を受信するための手段であって、
各専用DMRSが前記PBCHを復調するために使用され、
前記少なくとも1つの専用DMRSを受信することが、第1のシンボルに対する第1の専用DMRSおよび第2のシンボルに対する第2の専用DMRSを受信することを含み、
前記第1のシンボル内の前記第1の専用DMRSおよび前記第2のシンボル内の前記第2の専用DMRSが、前記PBCHに対応する前記1つまたは複数のシンボルと同じヌメロロジーを有する、手段と、
前記UEによって、前記少なくとも1つの専用DMRSに基づいて前記PBCHに対してチャネル推定手順を実行するための手段と、
前記UEによって、前記チャネル推定手順を実行した結果に基づいて前記PBCHを復調するための手段と
を備える装置。
【請求項１５】
請求項1から8および請求項9から12のうちのいずれか一項に記載の方法を少なくとも1つのコンピュータに実行させるために実行可能な命令を含む、コンピュータプログラム。